(57)【要約】  組成物であって、ｉ）ペルフルオロヘプテンと、ｉｉ）酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、ペルフルオロヘプテンと共沸混合物組成物又は共沸混合物様組成物を形成するのに有効な量で、組成物中に存在する、組成物。【特許請求の範囲】
【請求項１】
組成物であって、
ｉ）ペルフルオロヘプテンと、
ｉｉ）酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、
前記酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、前記ペルフルオロヘプテンと共沸混合物組成物又は共沸混合物様組成物を形成するのに有効な量で、前記組成物中に存在する、組成物。
【請求項２】
前記ペルフルオロヘプテンが、約９０重量％のペルフルオロヘプタ−３−エン及び約１０重量％のペルフルオロヘプタ−２−エンを含む、請求項１に記載の組成物。
【請求項３】
前記組成物が、ペルフルオロヘプテン及び酢酸メチルを含み、前記酢酸メチルが、前記ペルフルオロヘプテンと共沸混合物組成物又は共沸混合物様組成物を形成するのに有効な量で、前記組成物中に存在する、請求項２に記載の組成物。
【請求項４】
前記組成物が、約０．１〜約６０重量％のペルフルオロヘプテン及び約９９．９〜約４０重量％の酢酸メチルから本質的になる、請求項３に記載の組成物。
【請求項５】
前記組成物が、ペルフルオロヘプテン及びアセトンを含み、前記アセトンが、前記ペルフルオロヘプテンと共沸混合物組成物又は共沸混合物様組成物を形成するのに有効な量で、前記組成物中に存在する、請求項２に記載の組成物。
【請求項６】
前記組成物が、約０．１〜約３０重量％のペルフルオロヘプテン及び約９９．９〜約６０重量％のアセトンから本質的になる、請求項５に記載の組成物。
【請求項７】
前記組成物が、ペルフルオロヘプテン及び酢酸ｔｅｒｔ−ブチルを含み、前記酢酸ｔｅｒｔ−ブチルが、前記ペルフルオロヘプテンと共沸混合物組成物又は共沸混合物様組成物を形成するのに有効な量で、前記組成物中に存在する、請求項２に記載の組成物。
【請求項８】
前記組成物が、約８７〜約９４重量％のペルフルオロヘプテン及び約６〜約１３重量％の酢酸ｔｅｒｔ−ブチルから本質的になる、請求項７に記載の組成物。
【請求項９】
前記組成物が、ペルフルオロヘプテン及び酢酸イソプロピルを含み、前記酢酸イソプロピルが、前記ペルフルオロヘプテンと共沸混合物組成物又は共沸混合物様組成物を形成するのに有効な量で、前記組成物中に存在する、請求項２に記載の組成物。
【請求項１０】
前記組成物が、約７０〜約９０重量％のペルフルオロヘプテン及び約１０〜約３０重量％の酢酸イソプロピルから本質的になる、請求項９に記載の組成物。
【請求項１１】
前記組成物が、ペルフルオロヘプテン及びｎ−ヘプタンを含み、前記ｎ−ヘプタンが、前記ペルフルオロヘプテンと共沸混合物組成物又は共沸混合物様組成物を形成するのに有効な量で、前記組成物中に存在する、請求項２に記載の組成物。
【請求項１２】
前記組成物が、約８５〜約９５重量％のペルフルオロヘプテン及び約５〜約１５重量％のｎ−ヘプタンから本質的になる、請求項１１に記載の組成物。
【請求項１３】
前記組成物が、ペルフルオロヘプテン及びイソ−オクタンを含み、前記イソ−オクタンが、前記ペルフルオロヘプテンと共沸混合物組成物又は共沸混合物様組成物を形成するのに有効な量で、前記組成物中に存在する、請求項２に記載の組成物。
【請求項１４】
前記組成物が、約８５〜約９９．９重量％のペルフルオロヘプテン及び約０．１〜約１５重量％のイソ−オクタンから本質的になる、請求項１３に記載の組成物。
【請求項１５】
前記組成物が、ペルフルオロヘプテン及びｎ−ヘキサンを含み、前記ｎ−ヘキサンが、前記ペルフルオロヘプテンと共沸混合物組成物又は共沸混合物様組成物を形成するのに有効な量で、前記組成物中に存在する、請求項２に記載の組成物。
【請求項１６】
前記組成物が、約６０〜約８０重量％のペルフルオロヘプテン及び約２０〜約４０重量％のｎ−ヘキサンから本質的になる、請求項１５に記載の組成物。
【請求項１７】
前記組成物が、ペルフルオロヘプテン及びヘキサメチルジシロキサンを含み、前記ヘキサメチルジシロキサンが、前記ペルフルオロヘプテンと共沸混合物組成物又は共沸混合物様組成物を形成するのに有効な量で、前記組成物中に存在する、請求項２に記載の組成物。
【請求項１８】
前記組成物が、約９９．９〜約９０重量％のペルフルオロヘプテン及び約０．１〜約１０重量％のヘキサメチルジシロキサンから本質的になる、請求項１７に記載の組成物。
【請求項１９】
前記組成物が、ペルフルオロヘプテン及びシクロペンタンを含み、前記シクロペンタンが、前記ペルフルオロヘプテンと共沸混合物組成物又は共沸混合物様組成物を形成するのに有効な量で、前記組成物中に存在する、請求項２に記載の組成物。
【請求項２０】
前記組成物が、約９９．９〜約５０重量％のペルフルオロヘプテン及び約０．１〜約５０重量％のシクロペンタンから本質的になる、請求項１９に記載の組成物。
【請求項２１】
溶質を溶解するためのプロセスであって、前記溶質を、十分な量の請求項１に記載の組成物と接触させ混合するステップを含む、プロセス。
【請求項２２】
表面を洗浄するプロセスであって、請求項１に記載の組成物を前記表面と接触させるステップを含む、プロセス。
【請求項２３】
濡れている基材の表面から水の少なくとも一部分を除去するためのプロセスであって、前記基材を請求項１に記載の組成物と接触させるステップと、次いで、前記基材を前記組成物との接触から除去するステップと、を含む、プロセス。
【請求項２４】
表面上にフッ素系潤滑剤を堆積させるプロセスであって、
ａ）フッ素系潤滑剤と溶媒とを合わせて、潤滑剤／溶媒の組み合わせを形成するステップであって、前記溶媒が、請求項１に記載の組成物を含む、ステップと、
ｂ）前記潤滑剤／溶媒の組み合わせを前記表面と接触させるステップと、
ｃ）前記表面から前記溶媒を蒸発させて、前記表面上にフッ素系潤滑剤コーティングを形成するステップと、を含む、プロセス。
【発明の詳細な説明】
【技術分野】
【０００１】
（関連出願の相互参照）
本願は、２０１８年１０月５日に出願された米国特許仮出願第６２／７４２，０１３号及び２０１８年５月３日に出願された米国特許仮出願第６２／６６６，４５４号の利益を主張し、それらの開示の各々の全体は、参照により本明細書に組み込まれる。
【０００２】
（発明の分野）
本発明は、ペルフルオロヘプテン及び追加成分を含む二成分共沸混合物組成物又は共沸混合物様組成物に関し、追加成分は、ペルフルオロヘプテンと共沸混合物組成物又は共沸混合物様組成物を形成するのに有効な量で、組成物中に存在する。本明細書に記載される組成物は、例えば、洗浄及びキャリア流体用途において有用であり得る。
【背景技術】
【０００３】
クロロフルオロカーボン（chlorofluorocarbon、ＣＦＣ）化合物は、磁気ディスク媒体などの表面を洗浄するために、半導体製造分野において広く使用されている。しかしながら、ＣＦＣ化合物などの塩素含有化合物は、地球のオゾン層に有害であると考えられている。加えて、ＣＦＣ化合物を置換するために使用されるヒドロフルオロカーボンの多くは、地球温暖化に寄与することが見出されている。
【先行技術文献】
【特許文献】
【０００４】
【特許文献１】数米国特許仮出願第６２／７４２，０１３号
【特許文献２】米国特許仮出願第６２／６６６，４５４号
【発明の概要】
【発明が解決しようとする課題】
【０００５】
したがって、残渣フラックス、潤滑剤又は油汚染物質、及び粒子の除去などの洗浄用途のための新たな環境に安全な溶媒を特定する必要がある。また、フッ素系潤滑剤の堆積のため、及び水溶液中で処理された基材の乾燥又は脱水のための新たな溶媒も特定する必要がある。
【課題を解決するための手段】
【０００６】
本出願は、とりわけ、組成物であって、
ｉ）ペルフルオロヘプテンと、
ｉｉ）酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、
酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、ペルフルオロヘプテンと共沸混合物組成物又は共沸混合物様組成物を形成するのに有効な量で、組成物中に存在する、組成物を提供する。
【０００７】
本出願は、溶質を溶解させるためのプロセスであって、溶質を、十分な量の本明細書に記載される組成物と接触させ混合するステップを含む、プロセスを更に提供する。
【０００８】
本出願は、表面を洗浄するプロセスであって、本明細書に記載される組成物を上記表面と接触させるステップを含む、プロセスを更に提供する。
【０００９】
本出願は、濡れている基材の表面から水の少なくとも一部分を除去するためのプロセスであって、基材を本明細書に記載される組成物と接触させるステップと、次いで、基材を組成物との接触から除去するステップと、を含む、プロセスを更に提供する。
【００１０】
特に定義しない限り、本明細書で使用される全ての技術的及び科学的用語は、本発明の属する当該技術分野の当業者によって一般的に理解されるものと同一の意味を有する。本発明で使用するための方法及び材料が本明細書に記載されており、また、当該技術分野において既知の他の好適な方法及び材料を使用してもよい。材料、方法、及び実施例は、単なる例証であり、限定することを意図するものではない。本明細書で言及される全ての刊行物、特許出願、特許、配列、データベースエントリ、及び他の参考文献は、参照によりその全体が本明細書に組み込まれる。矛盾が生じた場合には、定義を含め、本明細書が優先される。
【発明を実施するための形態】
【００１１】
本開示は、ヒドロフルオロカーボン混合物を含む、新しい二成分共沸混合物及び共沸混合物様組成物を提供する。これらの組成物は、以前はＣＦＣ化合物が果たしていた多くの用途において有用性を有する。本開示の組成物は、環境影響がほとんど又は全くない所望の特性のうちのいくつか又は全て、並びに油、油脂、及び／又はフラックスを溶解する能力を保有する。
【００１２】
定義及び略語
本明細書で使用するとき、用語「含む（comprises）」、「含む（comprising）」、「含む（includes）」、「含む（including）」、「有する（has）」、「有する（having）」、又はこれらの他の任意の変化形は、非排他的な包含を網羅することを意図する。例えば、要素のリストを含むプロセス、方法、物品、又は装置は、これらの要素に必ずしも限定されるものではなく、そのようなプロセス、方法、物品、又は装置に対して明示的に記載されていない、又はこれらに固有のものではない、他の要素も含む場合がある。更に、明示的にこれに反する記載がない限り、「又は」は、包括的な「又は」を指し、排他的な「又は」を指すものではない。例えば、条件Ａ又はＢは、以下、即ち、Ａが真であり（又は存在し）かつＢが偽である（又は存在しない）、Ａが偽であり（又は存在しない）かつＢが真である（又は存在する）、並びにＡ及びＢの両方が真である（又は存在する）のいずれか１つにより満たされる。
【００１３】
本発明で使用するとき、「から本質的になる」は、これらの追加的に含まれる材料、工程、特徴、成分、又は要素が、特許請求される発明の基本的及び新規の特徴（複数可）、特に本発明のプロセスのいずれかの所望の結果を達成するための作用機序に実質的に影響を及ぼさないことを条件に、文字どおり開示されているものに加えて、材料、工程、特徴、成分、又は要素を含む、組成物、方法を定義するために使用される。用語「から本質的になる（consists essentially of）」又は「から本質的になる（consisting essentially of）」は、「含む」と「からなる」との間の中間の立場をとる。
【００１４】
また、「ａ」又は「ａｎ」の使用は、本明細書に記載された要素及び成分を記述するために用いられる。これは、単に便宜上なされるものであり、及び本発明の範囲の一般的な意味を与えるためのものである。この記載は、１つ又は少なくとも１つを含むものと解釈されるべきであり、単数形は、別の意味を有することが明白でない限り、複数形も含む。
【００１５】
本明細書で使用するとき、用語「約」は、実験誤差による変動（例えば、示された値のプラスマイナス約１０％）を考慮することを意味する。本明細書で報告される全ての測定値は、特に明記しない限り、用語「約」が明示的に使用されているか否かに関わらず、用語「約」によって修飾されるものと理解される。
【００１６】
量、濃度、又はその他の値若しくはパラメータが、ある範囲、好ましい範囲、又は好ましい上方値及び／若しくは好ましい下方値のリストのいずれかとして与えられている場合に、これらは、範囲が別個に開示されているかにかかわらず、任意の範囲上限値又は好ましい上方値及び任意の範囲下限値又は好ましい下方値の任意の対から形成される全ての範囲を、具体的に開示するものとして、理解されるものとする。本明細書に数値範囲が記述されている場合、特に指示しない限り、この範囲は、その端点を包含し、かつその範囲内の全ての整数及び分数を包含することが意図されている。
【００１７】
当該技術分野において認識されるように、共沸組成物は、２つ以上の異なる成分の混合物であり、液体形態にあるとき、（１ａ）所与の一定圧力下において、実質的に一定の温度で沸騰するか（この温度は、個々の成分の沸騰温度よりも高い場合があるか若しくは低い場合がある）、又は（１ｂ）所与の一定温度において、実質的に一定の圧力で沸騰し（この圧力は、個々の成分の沸騰圧力よりも高い場合があるか若しくは低い場合がある）、かつ（２）実質的に一定の組成で沸騰する（この相組成は、一定であるが、必ずしも等しいわけではない）（例えば、Ｍ．Ｆ．Ｄｏｈｅｒｔｙ  ａｎｄ  Ｍ．Ｆ．Ｍａｌｏｎｅ，Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ，ＭｃＧｒａｗ−Ｈｉｌｌ（Ｎｅｗ  Ｙｏｒｋ），２００１，１８５を参照されたい）。
【００１８】
単一の気相が単一の液相と平衡状態にある、均一共沸混合物は、上記の特性（１ａ）、（１ｂ）、及び（２）に加えて、各成分の組成が共存平衡相のそれぞれにおいて同じである。一般用語「共沸混合物」は、均一共沸混合物に一般的に使用される代替名である。
【００１９】
本明細書で使用するとき、「共沸混合物様」組成物は、共沸組成物のように挙動する（即ち、一定の沸騰特性又は沸騰若しくは蒸発時に分留しない傾向を有する）組成物を指す。したがって、沸騰又は蒸発中、蒸気及び液体の組成は、変化する場合でも、最小限又は無視できる程度しか変化しない。対照的に、非共沸混合物様組成物の蒸気及び液体の組成は、沸騰又は蒸発中にかなりの程度変化する。
【００２０】
本明細書で使用するとき、用語「共沸混合物様」又は「共沸混合物様挙動」は、事実上圧力差がない露点圧力及び気泡点圧力を呈する組成物を指す。いくつかの実施形態では、所与の温度における露点圧力と気泡点圧力との差は、３％以下である。いくつかの実施形態では、気泡点圧力と露点圧力との差は、５％以下である。
【００２１】
共沸混合物及び共沸混合物様組成物
組成物であって、
ｉ）ペルフルオロヘプテンと、
ｉｉ）酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、
酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、ペルフルオロヘプテンと共沸混合物組成物又は共沸混合物様組成物を形成するのに有効な量で、組成物中に存在する、組成物。
【００２２】
いくつかの実施形態では、ペルフルオロヘプテンは、ペルフルオロヘプタ−３−エン及びペルフルオロヘプタ−２−エンの混合物を含む。
【００２３】
いくつかの実施形態では、ペルフルオロヘプテンは、約８５〜約９５重量％のペルフルオロヘプタ−３−エン及び約５〜約１５重量％のペルフルオロヘプタ−２−エンを含む。
【００２４】
いくつかの実施形態では、ペルフルオロヘプテンは、約９０重量％のペルフルオロヘプタ−３−エン及び約１０重量％のペルフルオロヘプタ−２−エンを含む。
【００２５】
いくつかの実施形態では、組成物は、ペルフルオロヘプテン及び酢酸メチルを含み、酢酸メチルは、ペルフルオロヘプテンと共沸混合物組成物又は共沸混合物様組成物を形成するのに有効な量で、組成物中に存在する。
【００２６】
いくつかの実施形態では、組成物は、約０．１〜約６０重量％のペルフルオロヘプテン、例えば、約０．１〜約５０、約０．１〜約３５、約０．１〜約２０、約０．１〜約１０、約１０〜約６０、約１０〜約５０、約１０〜約３５、約１０〜約２０、約２０〜約６０、約２０〜約５０、約２０〜約３５、約３５〜約６０、約３５〜約５０、又は約５０〜約６０重量％のペルフルオロヘプテンを含む。
【００２７】
いくつかの実施形態では、組成物は、約９９．９〜約４０重量％の酢酸メチル、例えば、約９９．９〜約５０、約９９．９〜約６５、約９９．９〜約８０、約９９．９〜約９０、約９０〜約４０、約９０〜約５０、約９０〜約６５、約９０〜約８０、約８０〜約４０、約８０〜約５０、約８０〜約６５、約６５〜約４０、約６５〜約５０、又は約５０〜約４０重量％の酢酸メチルを含む。
【００２８】
いくつかの実施形態では、組成物は、ペルフルオロヘプテン及び酢酸メチルから本質的になる。
【００２９】
いくつかの実施形態では、組成物は、上記のような約０．１〜約６０重量％のペルフルオロヘプテン、及び上記のような約９９．９〜約４０重量％の酢酸メチルから本質的になる。
【００３０】
いくつかの実施形態では、組成物は、約２９〜約３１重量％のペルフルオロヘプテン及び約６９〜約７１重量％の酢酸メチルから本質的になる。
【００３１】
いくつかの実施形態では、組成物は、約３０重量％のペルフルオロヘプテン及び約７０重量％の酢酸メチルから本質的になる。
【００３２】
いくつかの実施形態では、ペルフルオロヘプテン及び酢酸メチルを含む、それらから本質的になる、又はそれらからなる組成物は、共沸混合物組成物である。
【００３３】
いくつかの実施形態では、ペルフルオロヘプテン及び酢酸メチルを含む、それらから本質的になる、又はそれらからなる組成物は、共沸混合物様組成物である。
【００３４】
いくつかの実施形態では、ペルフルオロヘプテン及び酢酸メチルを含む、それらから本質的になる、又はそれらからなる組成物は、約１０１ｋＰａの圧力で約４７℃〜約４８℃の沸点を有する。
【００３５】
いくつかの実施形態では、組成物は、ペルフルオロヘプテン及びアセトンを含み、アセトンは、ペルフルオロヘプテンと共沸混合物組成物又は共沸混合物様組成物を形成するのに有効な量で、組成物中に存在する。
【００３６】
いくつかの実施形態では、組成物は、約０．１〜約３０重量％のペルフルオロヘプテン、例えば、約０．１〜約２５、約０．１〜約１５、約０．１〜約１０、約０．１〜約５、約５〜約３０、約５〜約２５、約５〜約１５、約５〜約１０、約１０〜約３０、約１０〜約２５、約１０〜約１５、約１５〜約３０、約１５〜約２５、又は約２５〜約３０重量％のペルフルオロヘプテンを含む。
【００３７】
いくつかの実施形態では、組成物は、約９９．９〜約７０重量％のアセトン、例えば、約９９．９〜約７５、約９９．９〜約８５、約９９．９〜約９０、約９９．９〜約９５、約９５〜約７０、約９５〜約７５、約９５〜約８５、約９５〜約９０、約９０〜約７０、約９０〜約７５、約９０〜約８５、約８５〜約７０、約８５〜約７５、又は約７５〜約７０重量％のアセトンを含む。
【００３８】
いくつかの実施形態では、組成物は、ペルフルオロヘプテン及びアセトンから本質的になる。
【００３９】
いくつかの実施形態では、組成物は、上記のような約０．１〜約３０重量％のペルフルオロヘプテン、及び上記のような約９９．９〜約６０重量％のアセトンから本質的になる。
【００４０】
いくつかの実施形態では、組成物は、約２９〜約３１重量％のペルフルオロヘプテン及び約６９〜約７１重量％の酢酸メチルから本質的になる。
【００４１】
いくつかの実施形態では、組成物は、約３０重量％のペルフルオロヘプテン及び約７０重量％の酢酸メチルから本質的になる。
【００４２】
いくつかの実施形態では、ペルフルオロヘプテン及びアセトンを含む、それらから本質的になる、又はそれらからなる組成物は、共沸混合物組成物である。
【００４３】
いくつかの実施形態では、ペルフルオロヘプテン及びアセトンを含む、それらから本質的になる、又はそれらからなる組成物は、共沸混合物様組成物である。
【００４４】
いくつかの実施形態では、ペルフルオロヘプテン及びアセトンを含む、それらから本質的になる、又はそれらからなる組成物は、約１０１ｋＰａの圧力で約４４℃〜約４５℃の沸点を有する。
【００４５】
いくつかの実施形態では、組成物は、ペルフルオロヘプテン及び酢酸ｔｅｒｔ−ブチルを含み、酢酸ｔｅｒｔ−ブチルは、ペルフルオロヘプテンと共沸混合物組成物又は共沸混合物様組成物を形成するのに有効な量で、組成物中に存在する。
【００４６】
いくつかの実施形態では、組成物は、約８７〜約９４重量％のペルフルオロヘプテン、例えば、約８７〜約９２、約８７〜約９０、約８７〜約８９、約８９〜約９４、約８９〜約９２，約８９〜約９０、約９０〜約９４、約９０〜約９２、又は約９２〜約９４重量％のペルフルオロヘプテンを含む。
【００４７】
いくつかの実施形態では、組成物は、約６〜約１３重量％の酢酸ｔｅｒｔ−ブチル、例えば、約６〜約１１、約６〜約１０、約６〜約８、約８〜約１３、約８〜約１１，約８〜約１０、約１０〜約１３、約１０〜約１１、又は約１１〜約１３重量％の酢酸ｔｅｒｔ−ブチルを含む。
【００４８】
いくつかの実施形態では、組成物は、ペルフルオロヘプテン及び酢酸ｔｅｒｔ−ブチルから本質的になる。
【００４９】
いくつかの実施形態では、組成物は、上記のような約８７〜約９４重量％のペルフルオロヘプテン、及び上記のような約６〜約１３重量％の酢酸ｔｅｒｔ−ブチルから本質的になる。
【００５０】
いくつかの実施形態では、組成物は、約８９〜約９１重量％のペルフルオロヘプテン及び約９〜約１１重量％の酢酸ｔｅｒｔ−ブチルから本質的になる。
【００５１】
いくつかの実施形態では、組成物は、約９０重量％のペルフルオロヘプテン及び約１０重量％の酢酸ｔｅｒｔ−ブチルから本質的になる。
【００５２】
いくつかの実施形態では、ペルフルオロヘプテン及び酢酸ｔｅｒｔ−ブチルを含む、それらから本質的になる、又はそれらからなる組成物は、共沸混合物組成物である。
【００５３】
いくつかの実施形態では、ペルフルオロヘプテン及び酢酸ｔｅｒｔ−ブチルを含む、それらから本質的になる、又はそれらからなる組成物は、共沸混合物様組成物である。
【００５４】
いくつかの実施形態では、ペルフルオロヘプテン及び酢酸ｔｅｒｔ−ブチルを含む、それらから本質的になる、又はそれらからなる組成物は、約１０１ｋＰａの圧力で約６８℃〜約７０℃の沸点を有する。
【００５５】
いくつかの実施形態では、ペルフルオロヘプテン及び酢酸ｔｅｒｔ−ブチルを含む、それらから本質的になる、又はそれらからなる組成物は、約１０１ｋＰａの圧力で約６９℃の沸点を有する。
【００５６】
いくつかの実施形態では、組成物は、ペルフルオロヘプテン及び酢酸イソプロピルを含み、酢酸イソプロピルは、ペルフルオロヘプテンと共沸混合物組成物又は共沸混合物様組成物を形成するのに有効な量で、組成物中に存在する。
【００５７】
いくつかの実施形態では、組成物は、約７０〜約９０重量％のペルフルオロヘプテン、例えば、約７０〜約８５、約７０〜約８０、約７０〜約７５、約７５〜約９０、約７５〜約８５，約７５〜約８０、約８０〜約９０、約８０〜約８５、又は約８５〜約９０重量％のペルフルオロヘプテンを含む。
【００５８】
いくつかの実施形態では、組成物は、約１０〜約３０重量％の酢酸イソプロピル、例えば、約１０〜約２５、約１０〜約２０、約１０〜約１５、約１５〜約３０、約１５〜約２５，約１５〜約２０、約２０〜約３０、約２０〜約２５、又は約２５〜約３０重量％の酢酸イソプロピルを含む。
【００５９】
いくつかの実施形態では、組成物は、ペルフルオロヘプテン及び酢酸イソプロピルから本質的になる。
【００６０】
いくつかの実施形態では、組成物は、上記のような約７０〜約９０重量％のペルフルオロヘプテン、及び上記のような約１０〜約３０重量％の酢酸イソプロピルから本質的になる。
【００６１】
いくつかの実施形態では、組成物は、約８４〜約８６重量％のペルフルオロヘプテン及び約１４〜約１６重量％の酢酸イソプロピルから本質的になる。
【００６２】
いくつかの実施形態では、組成物は、約８５重量％のペルフルオロヘプテン及び約１５重量％の酢酸イソプロピルから本質的になる。
【００６３】
いくつかの実施形態では、ペルフルオロヘプテン及び酢酸イソプロピルを含む、それらから本質的になる、又はそれらからなる組成物は、共沸混合物組成物である。
【００６４】
いくつかの実施形態では、ペルフルオロヘプテン及び酢酸イソプロピルを含む、それらから本質的になる、又はそれらからなる組成物は、共沸混合物様組成物である。
【００６５】
いくつかの実施形態では、ペルフルオロヘプテン及び酢酸イソプロピルを含む、それらから本質的になる、又はそれらからなる組成物は、約１０１ｋＰａの圧力で約６４℃〜約６６℃の沸点を有する。
【００６６】
いくつかの実施形態では、ペルフルオロヘプテン及び酢酸イソプロピルを含む、それらから本質的になる、又はそれらからなる組成物は、約１０１ｋＰａの圧力で約６５℃の沸点を有する。
【００６７】
いくつかの実施形態では、組成物は、ペルフルオロヘプテン及びｎ−ヘプタンを含み、ｎ−ヘプタンは、ペルフルオロヘプテンと共沸混合物組成物又は共沸混合物様組成物を形成するのに有効な量で、組成物中に存在する。
【００６８】
いくつかの実施形態では、組成物は、約８５〜約９５重量％のペルフルオロヘプテン、例えば、約８５〜約９０又は約９０〜約９５重量％のペルフルオロヘプテンを含む。
【００６９】
いくつかの実施形態では、組成物は、約５〜約１５重量％のｎ−ヘプタン、例えば、約５〜約１０又は約１０〜約１５重量％のｎ−ヘプタンを含む。
【００７０】
いくつかの実施形態では、組成物は、ペルフルオロヘプテン及びｎ−ヘプタンから本質的になる。
【００７１】
いくつかの実施形態では、組成物は、上記のような約８５〜約９５重量％のペルフルオロヘプテン、及び上記のような約５〜約１５重量％のｎ−ヘプタンから本質的になる。
【００７２】
いくつかの実施形態では、組成物は、約８９〜約９１重量％のペルフルオロヘプテン及び約９〜約１１重量％のｎ−ヘプタンから本質的になる。
【００７３】
いくつかの実施形態では、組成物は、約９０重量％のペルフルオロヘプテン及び約１０重量％のｎ−ヘプタンから本質的になる。
【００７４】
いくつかの実施形態では、ペルフルオロヘプテン及びｎ−ヘプタンを含む、それらから本質的になる、又はそれらからなる組成物は、共沸混合物組成物である。
【００７５】
いくつかの実施形態では、ペルフルオロヘプテン及びｎ−ヘプタンを含む、それらから本質的になる、又はそれらからなる組成物は、共沸混合物様組成物である。
【００７６】
いくつかの実施形態では、ペルフルオロヘプテン及びｎ−ヘプタンを含む、それらから本質的になる、又はそれらからなる組成物は、約１０１ｋＰａの圧力で約６６℃〜約６７℃の沸点を有する。
【００７７】
いくつかの実施形態では、組成物は、ペルフルオロヘプテン及びイソ−オクタンを含み、イソ−オクタンは、ペルフルオロヘプテンと共沸混合物組成物又は共沸混合物様組成物を形成するのに有効な量で、組成物中に存在する。
【００７８】
いくつかの実施形態では、組成物は、約８５〜約９９．９重量％のペルフルオロヘプテン、例えば、約８５〜約９５、約８５〜約９０、約９０〜約９９．９、約９０〜約９５、又は約９５〜約９９．９重量％のペルフルオロヘプテンを含む。
【００７９】
いくつかの実施形態では、組成物は、約０．１〜約１５重量％のイソ−オクタン、例えば、約０．１〜約１０、約０．１〜約５、約５〜約１５、約５〜約１０、又は約１０〜約１５重量％のイソ−オクタンを含む。
【００８０】
いくつかの実施形態では、組成物は、ペルフルオロヘプテン及びイソ−オクタンから本質的になる。
【００８１】
いくつかの実施形態では、組成物は、上記のような約８５〜約９９．９重量％のペルフルオロヘプテン、及び上記のような約０．１〜約１５重量％のイソ−オクタンから本質的になる。
【００８２】
いくつかの実施形態では、組成物は、約９０〜約９２重量％のペルフルオロヘプテン及び約８〜約１０重量％のイソ−オクタンから本質的になる。
【００８３】
いくつかの実施形態では、組成物は、約９１重量％のペルフルオロヘプテン及び約９重量％のイソ−オクタンから本質的になる。
【００８４】
いくつかの実施形態では、ペルフルオロヘプテン及びイソ−オクタンを含む、それらから本質的になる、又はそれらからなる組成物は、共沸混合物組成物である。
【００８５】
いくつかの実施形態では、ペルフルオロヘプテン及びイソ−オクタンを含む、それらから本質的になる、又はそれらからなる組成物は、共沸混合物様組成物である。
【００８６】
いくつかの実施形態では、ペルフルオロヘプテン及びイソ−オクタンを含む、それらから本質的になる、又はそれらからなる組成物は、約１０１ｋＰａの圧力で約６７℃〜約６８℃の沸点を有する。
【００８７】
いくつかの実施形態では、組成物は、ペルフルオロヘプテン及びｎ−ヘキサンを含み、ｎ−ヘキサンは、ペルフルオロヘプテンと共沸混合物組成物又は共沸混合物様組成物を形成するのに有効な量で、組成物中に存在する。
【００８８】
いくつかの実施形態では、組成物は、約６０〜約８０重量％のペルフルオロヘプテン、例えば、約６０〜約７５、約６０〜約７０、約６０〜約６５、約６５〜約８０、約６５〜約７５，約６５〜約７０、約７０〜約８０、約７０〜約７５、約７５〜約８０重量％のペルフルオロヘプテンを含む。
【００８９】
いくつかの実施形態では、組成物は、約２０〜約４０重量％のｎ−ヘキサン、例えば、約２０〜約３５、約２０〜約３０、約２０〜約２５、約２５〜約４０、約２５〜約３５，約２５〜約３０、約３０〜約４０、約３０〜約３５、又は約３５〜約４０重量％のｎ−ヘキサンを含む。
【００９０】
いくつかの実施形態では、組成物は、ペルフルオロヘプテン及びｎ−ヘキサンから本質的になる。
【００９１】
いくつかの実施形態では、組成物は、上記のような約６０〜約８０重量％のペルフルオロヘプテン、及び上記のような約２０〜約４０重量％のｎ−ヘキサンから本質的になる。
【００９２】
いくつかの実施形態では、組成物は、約９０〜約９２重量％のペルフルオロヘプテン及び約８〜約１０重量％のｎ−ヘキサンから本質的になる。
【００９３】
いくつかの実施形態では、組成物は、約９１重量％のペルフルオロヘプテン及び約９重量％のｎ−ヘキサンから本質的になる。
【００９４】
いくつかの実施形態では、ペルフルオロヘプテン及びｎ−ヘキサンを含む、それらから本質的になる、又はそれらからなる組成物は、共沸混合物組成物である。
【００９５】
いくつかの実施形態では、ペルフルオロヘプテン及びｎ−ヘキサンを含む、それらから本質的になる、又はそれらからなる組成物は、共沸混合物様組成物である。
【００９６】
いくつかの実施形態では、組成物は、ペルフルオロヘプテン及びｎ−ヘキサンを含む、それらから本質的になる、又はそれらからなる組成物は、約１０１ｋＰａの圧力で約５５℃〜約５６℃の沸点を有する。
【００９７】
いくつかの実施形態では、組成物は、ペルフルオロヘプテン及びヘキサメチルジシロキサンを含み、ヘキサメチルジシロキサンは、ペルフルオロヘプテンと共沸混合物組成物又は共沸混合物様組成物を形成するのに有効な量で、組成物中に存在する。
【００９８】
いくつかの実施形態では、組成物は、約９９．９〜約９０重量％のペルフルオロヘプテン、例えば、約９９．９〜約９２、約９９．９〜約９４、約９９．９〜約９６、約９９．９〜約９８、約９８〜約９０、約９８〜約９２、約９８〜約９４、約９８〜約９６、約９６〜約９０、約９６〜約９２、約９６〜約９４、約９４〜約９０、約９４〜約９２、約９２〜約９０重量％のペルフルオロヘプテンを含む。
【００９９】
いくつかの実施形態では、組成物は、約０．１〜約１０重量％のヘキサメチルジシロキサン、例えば、約０．１〜約８、約０．１〜約６、約０．１〜約４、約０．１〜約２、約２〜約１０、約２〜約８、約２〜約６、約２〜約４、約４〜約１０、約４〜約８、約４〜約６、約６〜約１０、約６〜約８、約８〜約１０重量％のヘキサメチルジシロキサンを含む。
【０１００】
いくつかの実施形態では、組成物は、ペルフルオロヘプテン及びヘキサメチルジシロキサンから本質的になる。
【０１０１】
いくつかの実施形態では、組成物は、上記のような約９９．９〜約９０重量％のペルフルオロヘプテン、及び上記のような約０．１〜約１０重量％のヘキサメチルジシロキサンから本質的になる。
【０１０２】
いくつかの実施形態では、組成物は、約９０〜約９２重量％のペルフルオロヘプテン及び約８〜約１０重量％のヘキサメチルジシロキサンから本質的になる。
【０１０３】
いくつかの実施形態では、組成物は、約９１重量％のペルフルオロヘプテン及び約９重量％のヘキサメチルジシロキサンから本質的になる。
【０１０４】
いくつかの実施形態では、ペルフルオロヘプテン及びヘキサメチルジシロキサンを含む、それらから本質的になる、又はそれらからなる組成物は、共沸混合物組成物である。
【０１０５】
いくつかの実施形態では、ペルフルオロヘプテン及びヘキサメチルジシロキサンを含む、それらから本質的になる、又はそれらからなる組成物は、共沸混合物様組成物である。
【０１０６】
いくつかの実施形態では、組成物は、約１０１ｋＰａの圧力で約６６℃〜約６７℃の沸点を有する。
【０１０７】
いくつかの実施形態では、組成物は、ペルフルオロヘプテン及びシクロペンタンを含み、シクロペンタンは、ペルフルオロヘプテンと共沸混合物組成物又は共沸混合物様組成物を形成するのに有効な量で、組成物中に存在する。
【０１０８】
いくつかの実施形態では、組成物は、約９９．９〜約５０重量％のペルフルオロヘプテン、例えば、約９９．９〜約６０、約９９．９〜約７０、約９９．９〜約８０、約９９．９〜約９０、約９９．９〜約９５、約９５〜約５０、約９５〜約６０、約９５〜約７０、約９５〜約８０、約９５〜約９０、約９０〜約５０、約９０〜約６０、約９０〜約７０、約９０〜約８０、約８０〜約５０、約８０〜約６０、約８０〜約７０、約７０〜約５０、約７０〜約６０、又は約６０〜約５０重量％のペルフルオロヘプテンを含む。
【０１０９】
いくつかの実施形態では、組成物は、約０．１〜約５０重量％のシクロペンタン、例えば、約０．１〜約４０、約０．１〜約３０、約０．１〜約２０、約０．１〜約１０、約０．１〜約５、約５〜約５０、約５〜約４０、約５〜約３０、約５〜約２０、約５〜約１０、約１０〜約５０、約１０〜約４０、約１０〜約３０、約１０〜約２０、約２０〜約５０、約２０〜約４０、約２０〜約３０、約３０〜約５０、約３０〜約４０、又は約４０〜約５０重量％のシクロペンタンを含む。
【０１１０】
いくつかの実施形態では、組成物は、ペルフルオロヘプテン及びシクロペンタンから本質的になる。
【０１１１】
いくつかの実施形態では、組成物は、上記のような約９９．９〜約５０重量％のペルフルオロヘプテン、及び上記のような約０．１〜約５０重量％のシクロペンタンから本質的になる。
【０１１２】
いくつかの実施形態では、組成物は、約５８〜約６５重量％のペルフルオロヘプテン及び約３５〜約４２重量％のシクロペンタンから本質的になる。
【０１１３】
いくつかの実施形態では、組成物は、約６０〜約６３重量％のペルフルオロヘプテン及び約３７〜約４０重量％のシクロペンタンから本質的になる。
【０１１４】
いくつかの実施形態では、ペルフルオロヘプテン及びシクロペンタンを含む、それらから本質的になる、又はそれらからなる組成物は、共沸混合物組成物である。
【０１１５】
いくつかの実施形態では、ペルフルオロヘプテン及びシクロペンタンを含む、それらから本質的になる、又はそれらからなる組成物は、共沸混合物様組成物である。
【０１１６】
いくつかの実施形態では、組成物は、ペルフルオロヘプテン及びシクロペンタンを含む、それらから本質的になる、又はそれらからなる組成物は、約１０１ｋＰａの圧力で約４１℃〜約４２℃の沸点を有する。
【０１１７】
使用方法
いくつかの実施形態では、本明細書に記載の組成物は、洗浄剤、フラックス除去剤、及び／又は脱脂剤として有用である。したがって、本出願は、表面を洗浄するプロセスであって、本明細書で提供される組成物を上記表面と接触させるステップを含む、プロセスを提供する。いくつかの実施形態では、プロセスは、表面又は基材から残渣を除去するステップであって、表面又は基材を本明細書で提供される組成物と接触させるステップと、組成物から表面又は基材を回収するステップと、を含む。
【０１１８】
いくつかの実施形態では、本出願は、溶質を溶解させるためのプロセスであって、溶質を、十分な量の本明細書で提供される組成物と接触させ混合するステップを含む、プロセスを更に提供する。
【０１１９】
いくつかの実施形態では、表面又は基材は、集積回路デバイスであり得、この場合、残渣は、ロジンフラックス又は油を含む。集積回路デバイスは、フリップチップ、μＢＧＡ、又はチップスケールパッケージング構成要素などの様々な種類の構成要素を有する回路基板であり得る。表面又は基材は、追加として、ステンレス鋼などの金属表面であり得る。ロジンフラックスは、ＲＭＡ（（rosin mildly activated）ロジン弱活性化）、ＲＡ（（rosin activated）ロジン活性化）、ＷＳ（（water soluble）水溶性）、及びＯＡ（（organic acid）有機酸）が挙げられるが、これらに限定されない、集積回路デバイスのはんだ付けにおいて一般的に使用される任意の種類であり得る。油残渣としては、鉱油、モータ油、及びシリコーン油が挙げられるが、これらに限定されない。
【０１２０】
いくつかの実施形態では、本出願は、濡れている基材又は表面又はデバイスの表面から少なくとも一部分の水を除去するためのプロセスであって、基材、表面、又はデバイスを本明細書で提供される組成物と接触させるステップと、次いで、基材、表面、又はデバイスを組成物との接触から除去するステップと、を含む、プロセスを提供する。
【０１２１】
いくつかの実施形態では、本明細書で提供される組成物は、基材を脱水又は乾燥するのに好適な少なくとも１つの界面活性剤を更に含む。例示的な界面活性剤としては、アルキルジメチルアンモニウムイソオクチルホスフェート、ｔｅｒｔ−アルキルアミン（例えば、ｔｅｒｔ−ブチルアミン）、ペルフルオロアルキルホスフェート、ジメチルデセナミド、フッ素化アルキルポリエーテル、四級アミン（例えば、アンモニウム塩）、及びグリセロールモノステアレートが挙げられるが、これらに限定されない。
【０１２２】
デバイス、表面、又は基材を接触させるための手段は重要ではなく、例えば、本明細書で提供される組成物を含有する浴中にデバイス、表面、若しくは基材を浸漬するステップ、本明細書で提供される組成物を用いてデバイス、表面、若しくは基材を噴霧するステップ、又は組成物で湿潤された材料（例えば、布）でデバイス、表面、若しくは基材を拭き取るステップによって達成され得る。代替的に、本明細書で提供される組成物は、このような残渣の除去のために設計された蒸気脱脂又はフラックス除去装置において使用され得る。このような蒸気脱脂又はフラックス除去機器は、Ｆｏｒｗａｒｄ  Ｔｅｃｈｎｏｌｏｇｙ（Ｃｒｅｓｔ  Ｇｒｏｕｐ，Ｔｒｅｎｔｏｎ，ＮＪの子会社）、Ｔｒｅｋ  Ｉｎｄｕｓｔｒｉｅｓ（Ａｚｕｓａ，ＣＡ）、及びＵｌｔｒｏｎｉｘ，Ｉｎｃ．（Ｈａｔｆｉｅｌｄ，ＰＡ）などの様々な供給元から入手可能である。
【０１２３】
デジタル情報を記憶する最も高度で最も高い記録密度及び最低コストの方法は、磁気材料でコーティングされた回転ディスクからフラックスパターンを書き込み、読み取りすることを伴う。ビットの形態で情報が記憶される磁気層は、金属支持構造上にスパッタリングされる。次に、オーバーコート、通常は炭素系材料を保護のために磁気層の上に配置し、最後に潤滑剤をオーバーコートに塗布する。読み取り−書き込みヘッドは潤滑剤の上方に浮上し、ヘッドと磁気層との間で情報が交換される。情報転送の効率を高める飽くなき試みにおいて、ハードドライブ製造業者は、ヘッドと磁気層との間の距離、又は浮上高を１００オングストローム未満まで低減してきた。
【０１２４】
必然的に、通常のディスクドライブアプリケーションの間、ヘッドとディスク表面とが接触することになる。ディスク上の摩耗を低減するために、摺動接点及び浮遊接点の両方から、それは潤滑される必要がある。
【０１２５】
フッ素系潤滑剤は、磁気ディスクドライブ産業において潤滑剤として広く使用されて、ヘッドとディスクとの間の摩擦を減少させ、すなわち摩耗を低減し、したがってディスク故障の可能性を最小限に抑える。
【０１２６】
フッ素系潤滑剤の堆積のための改良された方法の必要性が、産業界に存在する。ＣＦＣ−１１３及びＰＦＣ−５０６０などの特定の溶媒の使用は、環境への影響によって調節されている。したがって、本出願で使用されることになる溶媒は、環境への影響を考慮すべきである。また、このような溶媒は、フッ素系潤滑剤を溶解し、フッ素系潤滑剤の実質的に均一な又は均一なコーティングを形成する必要がある。追加として、既存の溶媒は、所与の厚さコーティングを生成するためにより高いフッ素系潤滑剤濃度を必要とし、フッ素系潤滑剤コーティングの均一性の不規則性を生じることが見出されている。
【０１２７】
いくつかの実施形態において、本開示のフッ素系潤滑剤は、ペルフルオロポリエーテル（perfluoropolyether、ＰＦＰＥ）化合物、又はホスファゼン含有ディスク潤滑剤であるＸ−１Ｐ（登録商標）を含む潤滑剤を含む。これらのペルフルオロポリエーテル化合物は、時には、ペルフルオロアルキルエーテル（perfluoroalkylether、ＰＦＡＥ）又はペルフルオロポリアルキルエーテル（perfluoropolyalkylether、ＰＦＰＡＥ）と称される。これらのＰＦＰＥ化合物は、単純なペルフルオロ化エーテルポリマーから官能化ペルフルオロ化エーテルポリマーまで多岐にわたる。本発明においてフッ素系潤滑剤として有用であり得る異なる種類のＰＦＰＥ化合物は、いくつかの供給源から入手可能である。いくつかの実施形態では、本明細書で提供されるプロセスにおいて有用なフッ素系潤滑剤としては、Ｋｒｙｔｏｘ（登録商標）ＧＬＰ１００、ＧＬＰ１０５、又はＧＬＰ１６０（Ｔｈｅ  Ｃｈｅｍｏｕｒｓ  Ｃｏ．，ＬＬＣ，Ｆｌｕｏｒｏｐｒｏｄｕｃｔｓ，Ｗｉｌｍｉｎｇｔｏｎ，ＤＥ，１９８９８，ＵＳＡ）、Ｆｏｍｂｌｉｎ（登録商標）Ｚ−Ｄｏｌ  ２０００、２５００若しくは４０００、Ｚ−Ｔｅｔｒａｏｌ、又はＦｏｍｂｌｉｎ（登録商標）ＡＭ  ２００１若しくはＡＭ  ３００１（Ｓｏｌｖａｙ  Ｓｏｌｅｘｉｓ  Ｓ．ｐ．Ａ．，Ｍｉｌａｎ，Ｉｔａｌｙから販売）、Ｄｅｍｎｕｍ（商標）ＬＲ−２００又はＳ−６５（Ｄａｉｋｉｎ  Ａｍｅｒｉｃａ，Ｉｎｃ．，Ｏｓａｋａ，Ｊａｐａｎから提供）、Ｘ−１Ｐ（登録商標）（Ｑｕｉｘｔｏｒ  Ｔｅｃｈｎｏｌｏｇｉｅｓ  Ｃｏｒｐｏｒａｔｉｏｎ（Ｄｏｗ  Ｃｈｅｍｉｃａｌ  Ｃｏ，Ｍｉｄｌａｎｄ，ＭＩの子会社）から入手可能な部分フッ素化ヒドロキシフェノキシシクロトリホスファゼンディスク潤滑剤）、並びにこれらの混合物を含むが、これらに限定されない。Ｋｒｙｔｏｘ（登録商標）潤滑剤は、一般構造Ｆ（ＣＦ（ＣＦ３）ＣＦ２Ｏ）ｎ−ＣＦ２ＣＦ３を有するペルフルオロアルキルポリエーテルであり、式中、ｎは１０〜６０の範囲である。Ｆｏｍｂｌｉｎ（登録商標）潤滑剤は、分子量が５００〜４０００原子質量単位の範囲であり、かつ一般式Ｘ−ＣＦ２−Ｏ（ＣＦ２−ＣＦ２−Ｏ）ｐ−（ＣＦ２Ｏ）ｑ−ＣＦ２−Ｘ（式中、Ｘは−ＣＨ２ＯＨであり得、ｐ＋ｑは４０〜１８０であり、ｐ／ｑは０．５〜２である）、ＣＨ２（Ｏ−ＣＨ２−ＣＨ２）ｎＯＨ（式中、ｎは１０〜６０である）、ＣＨ２ＯＣＨ２ＣＨ（ＯＨ）ＣＨ２ＯＨ、又は−ＣＨ２Ｏ−ＣＨ２−ピペロニルを有する、官能化ペルフルオロポリエーテルである。Ｄｅｍｎｕｍ（商標）油は、２７００〜８４００原子質量単位の分子量の範囲のペルフルオロポリエーテル系油である。加えて、本明細書で提供されるプロセスにおいて有用であり得る、Ｍｏｒｅｓｃｏ（Ｔｈａｉｌａｎｄ）Ｃｏ．，Ｌｔｄからのものなどの新しい潤滑剤が開発されている。
【０１２８】
本明細書に記載されるフッ素系潤滑剤は、フッ素系潤滑剤の特性を改善するための添加剤を追加として含み得る。潤滑剤自体として機能し得るＸ−１Ｐ（登録商標）は、ＰＦＰＥ分解に関与するディスク表面上のルイス酸部位を不活性化することによってディスクドライブの耐久性を高めるために、多くの場合、他のより低いコストのフッ素系潤滑剤に添加される。他の一般的な潤滑剤添加剤は、本明細書で提供されるプロセスにおいて有用なフッ素系潤滑剤において使用され得る。
【０１２９】
本明細書に記載されるフッ素系潤滑剤は、Ｚ−ＤＰＡ（Ｈｉｔａｃｈｉ  Ｇｌｏｂａｌ  Ｓｔｏｒａｇｅ  Ｔｅｃｈｎｏｌｏｇｉｅｓ，Ｓａｎ  Ｊｏｓｅ，ＣＡ）、ジアルキルアミン末端基で終端されたＰＦＰＥを更に含み得る。求核末端基は、Ｘ１Ｐ（登録商標）と同じ目的を果たすため、いかなる添加剤も有しない同じ安定性を提供する。
【０１３０】
フッ素系潤滑剤が堆積され得る表面は、潤滑から利益を得ることができる任意の固体表面である。シリカディスク、金属又は金属酸化物表面、蒸着炭素表面又はガラス表面などの半導体材料は、本明細書に記載されるプロセスにおいて使用され得る表面の種類を表す。いくつかの実施形態では、本明細書で提供されるプロセスは、コンピュータドライブハードディスクなどの磁気媒体をコーティングするのに特に有用である。コンピュータディスクの製造において、表面は、アモルファス水素化又は窒素化炭素の薄い（１０〜５０オングストロームの）層との蒸着によってもコーティングされる、磁性媒体の層を有する、ガラス、又はアルミニウム基材であり得る。フッ素系潤滑剤は、ディスクの炭素層にフッ素系潤滑剤を塗布することによって間接的に表面ディスク上に堆積され得る。
【０１３１】
フッ素系潤滑剤及び本明細書で提供される組成物（すなわち、溶媒として）を合わせる第１の工程は、堆積プロセスのための浴として使用され得るビーカー又は他の容器などの好適な容器内で混合するなどの任意の好適な方法で、達成され得る。本明細書で提供される組成物中のフッ素系潤滑剤濃度は、約０．０１０重量％（重量／重量）〜約０．５０％（重量／重量）であり得る。
【０１３２】
フッ素系潤滑剤及び本明細書で提供される組成物の組み合わせを表面と接触させる工程は、表面に適切な任意の方法で達成され得る（表面のサイズ及び形状を考慮する）。ハードディスクは、ディスクの中心の穴を通って嵌合することができるマンドレル又は他のいくつかの支持体などのいくつかの方法で支持される必要がある。したがって、ディスクは、ディスクの平面が溶媒浴に垂直になるように鉛直に保持される。マンドレルは、円筒形棒又はＶ字形棒を含むがこれらに限定されない、異なる形状を有し得る。マンドレル形状は、ディスクとの接触領域を決定することになる。マンドレルは、金属、金属合金、プラスチック、又はガラスを含むがこれらに限定されない、ディスクを保持するのに十分な強さの任意の材料で構築され得る。加えて、ディスクは、織布バスケット内に鉛直に直立して支持され得るか、又は外側縁部上の１つ以上のクランプで鉛直位置にクランプされ得る。支持体は、金属、金属合金、プラスチック、又はガラスなどのディスクを保持する強度を有する任意の材料で構築され得る。ディスクがどのような仕方で支持されるにしても、ディスクは、フッ素系潤滑剤／溶媒（すなわち、本明細書で提供される組成物）の組み合わせの浴を保持する容器内に下げられることになる。浴は、室温で保持され得るか、又は約０℃〜約５０℃の範囲の温度まで加熱若しくは冷却され得る。
【０１３３】
代替的に、ディスクは上述のように支持され得、浴が上げられて、ディスクを浸漬し得る。いずれの場合も、次いで、ディスクは浴から（浴を下げることによって、又はディスクを上げることによってのいずれかで）除去され得る。超過量のフッ素系潤滑剤／溶媒の組み合わせを浴中に排出することができる。
【０１３４】
ディスクを浴内に下げるか、又は浴を上げて、ディスクを浸漬するかのいずれかのディスク表面とフッ素系潤滑剤／溶媒の組み合わせとを接触させるプロセスのいずれかは、一般にディップコーティングと称される。ディスクをフッ素系潤滑剤／溶媒の組み合わせと接触させるための他のプロセスは、噴霧又はスピンコーティングを含むがこれらに限定されない、本明細書に記載されるプロセスにおいて使用され得る。
【０１３５】
ディスクが浴から除去されると、ディスクは、その表面上にフッ素系潤滑剤及びいくつかの残渣溶媒（すなわち、本明細書で提供される組成物）のコーティングを有する。残留溶媒は蒸発され得る。蒸発は、通常、室温で実施される。しかしながら、室温超及び室温未満の両方の他の温度も、蒸発工程にも使用され得る。約０℃〜約１００℃の範囲の温度が蒸発に使用され得る。
【０１３６】
表面又はディスクは、表面がディスクである場合、コーティングプロセスの完了後、実質的に溶媒を含まないフッ素系潤滑剤の実質的に均一な又は均一なコーティングで残されることになる。フッ素系潤滑剤は、約３００ｎｍ未満の厚さに、及び代替的に約１００〜約３００ｎｍの厚さに塗布され得る。
【０１３７】
ディスクの適切な機能のために均一なフッ素系潤滑剤コーティングが所望されており、そのような様々なフッ素系潤滑剤の厚さの領域は、ディスクの表面上で望ましくない。ますます多くの情報が同じサイズのディスク上に記憶されるにつれて、読み取り／書き込みヘッドは、適切に機能するためにディスクにますます近づく必要がある。コーティング厚さの変動による不規則性がディスクの表面上に存在する場合、ヘッドとディスク上のこれらの領域との接触の可能性ははるかに大きい。ヘッド接点又は他の手段によって除去され得る領域に流れ込むのに十分なフッ化潤滑剤をディスク上に有することが望まれているが、厚すぎるコーティングは、「汚れ」（超過量のフッ素系潤滑剤をかき集める読み取り／書き込みヘッドに関連付けられた問題である）を引き起こし得る。
【０１３８】
産業界で観察される１つの特定のコーティング厚さの不規則性は、「ウサギ耳」効果として知られるものである。これらの不規則性は、既存の溶媒系を使用してフッ素系潤滑剤の堆積後にディスクの表面上で視覚的に検出される。ディスクが溶媒中のフッ素系潤滑剤の溶液と接触され、次いで溶液から除去されると、溶液が蓄積し得、かつ容易に排出しない任意の点は、容易に流れ落ちない溶液の液滴を生じる。このような液滴形成点の１つは、マンドレル又は他の支持デバイスとディスクとの接点（複数可）である。Ｖ字形状のマンドレルが使用される場合、マンドレルがディスクの内側縁部に接触する２つの接点が存在する。フッ化潤滑剤の溶液が、浴から除去されたときに流れ落ちないこれらの場所で液滴を形成する場合、溶媒が蒸発すると、より大きな厚さのフッ素系潤滑剤の領域が形成される。より大きなフッ素系潤滑剤の領域が、ディスク表面上で視覚的に検出可能なウサギ耳に似たパターンを生成するので、ディスクとの２つの接点は、「ウサギ耳」効果として知られているものを生成する。
【０１３９】
表面上にフッ素系潤滑剤を堆積させるためにディップコーティングが使用される場合、引き上げ速度（ディスクが浴から除去される速度）、並びにフッ素系潤滑剤の密度及び表面張力は、フッ素系潤滑剤の結果として得られる膜厚を決定することに関連する。所望の膜厚を得るためのこれらのパラメータの認識が必要とされる。これらのパラメータ効果コーティングがどのように与えられるかに関する詳細は、その開示内容は参照によりその全体が本明細書に組み込まれる、「Ｄｉｐ−Ｃｏａｔｉｎｇ  ｏｆ  Ｕｌｔｒａ−Ｔｈｉｎ  Ｌｉｑｕｉｄ  Ｌｕｂｒｉｃａｎｔ  ａｎｄ  ｉｔｓ  Ｃｏｎｔｒｏｌ  ｆｏｒ  Ｔｈｉｎ−Ｆｉｌｍ  Ｍａｇｎｅｔｉｃ  Ｈａｒｄ  Ｄｉｓｋｓ」ｉｎ  ＩＥＥＥ  Ｔｒａｎｓａｃｔｉｏｎｓ  ｏｎ  Ｍａｇｎｅｔｉｃｓ，ｖｏｌ．３１，ｎｏ．６，Ｎｏｖｅｍｂｅｒ  １９９５に記載されている。
【実施例】
【０１４０】
本発明を、具体的な実施例によって、より詳細に説明する。以下の実施例は、例示目的のために提供され、いかなる意味でも、本発明を限定することを意図するものではない。当業者は、本質的に同じ結果を得るために変更又は修正することができる様々な、死活的に重要とは言えないパラメータを、容易に認識するであろう。
【０１４１】
実施例１．気液平衡分析及び蒸留分析
気液平衡分析
ＰＴｘ法は、混合物の気相−液相平衡（ＶＬＥ）データを実験的に測定する既知の方法である。測定は、等温又は等圧のいずれかで行うことができる。等温法は、一定温度で公知の組成の混合物の全圧を測定することを必要とする。この方法では、既知の体積のセル内の総絶対圧力を、２つの化合物の様々な既知の組成について一定温度で測定する。等圧法は、一定圧力で公知の組成の混合物の温度を測定することを必要とする。この方法では、既知の体積のセル内の温度を、２つの化合物の様々な既知の組成について一定圧力で測定する。ＰＴｘ法の使用については、その開示が全体として参照により本明細書に組み込まれている、「Ｐｈａｓｅ  Ｅｑｕｉｌｉｂｒｉｕｍ  ｉｎ  Ｐｒｏｃｅｓｓ  Ｄｅｓｉｇｎ」、Ｗｉｌｅｙ−Ｉｎｔｅｒｓｃｉｅｎｃｅ  Ｐｕｂｌｉｓｈｅｒ、１９７０年、Ｈａｒｏｌｄ  Ｒ．Ｎｕｌｌ著、１２４〜１２６頁に詳細に記載されている。
【０１４２】
測定したデータ点は、非ランダム二液（ＮＲＴＬ）式などの活量係数式モデルを用いることによって、ＰＴｘセル中の平衡状態の蒸気と液体の組成に変換して液相非理想系を表すことができる。ＮＲＴＬ式などの活量係数式の使用については、その開示が全体として参照により本明細書に組み込まれている、「Ｔｈｅ  Ｐｒｏｐｅｒｔｉｅｓ  ｏｆ  Ｇａｓｅｓ  ａｎｄ  Ｌｉｑｕｉｄｓ」、第４版、ＭｃＧｒａｗ  Ｈｉｌｌ発行、Ｒｅｉｄ、Ｐｒａｕｓｎｉｔｚ、及びＰｏｌｉｎｇ著、２４１〜３８７頁、及び「Ｐｈａｓｅ  Ｅｑｕｉｌｉｂｒｉａ  ｉｎ  Ｃｈｅｍｉｃａｌ  Ｅｎｇｉｎｅｅｒｉｎｇ」、Ｂｕｔｔｅｒｗｏｒｔｈ  Ｐｕｂｌｉｓｈｅｒｓ発行、１９８５年、Ｓｔａｎｌｅｙ  Ｍ．Ｗａｌａｓ著、１６５〜２４４頁に詳細に記載されている。いかなる理論又は説明にも束縛されることを望むものではないが、ＮＲＴＬ式は、ＰＴｘセルデータと併せて、本発明の様々な組成物の気相−液相平衡挙動、及び蒸留塔などの多段階式分離装置内におけるこれらの混合物の挙動を充分に予測すると考えられる。
【０１４３】
蒸留分析
混合物を調製し、標準ＡＳＴＭ法Ｄ１０７８当たり７６０ｍｍＨｇの圧力で、２５段蒸留塔内で蒸留した。ヘッド及びフラスコ温度を１℃に直接監視した。蒸留液試料を、ガスクロマトグラフィーによる組成物の測定のために蒸留全体を通して採取した。
【０１４４】
共沸混合物組成物
表１は、大気圧（約１０１ｋＰａ）での蒸留によってペルフルオロヘプテンの様々な二成分組成物について決定された共沸範囲及び共沸点を示す。各実験で使用したペルフルオロヘプテンは、９０重量％のペルフルオロヘプタ−３−エンと１０重量％のペルフルオロヘプタ−２−エンとの混合物であった。ＰＦＨ＝ペルフルオロヘプテン、ＣＰ＝シクロペンタン、ｉＰｒＯＡｃ＝酢酸イソプロピル、ＭｅＡｃ＝酢酸メチル、ＴＢＡＣ＝酢酸ｔｅｒｔ−ブチル、ＯＳ−１０＝ヘキサメチルジシロキサン。
【０１４５】
【表１】
2021518878.tif 000002
【０１４６】
実施例２．可燃性及び引火点試験
ペルフルオロヘプテン（ＰＦＨ）及び酢酸ｔｅｒｔ−ブチル（ＴＢＡＣ）の混合物を使用して、引火点試験を実施した。引火点は、タグ密閉式試験機による引火点の標準試験方法であるＡＳＴＭ  Ｄ５６−０５（２０１０）を使用して決定した。表２に示されるように、試験範囲内の沸点は一定であり、共沸様挙動と一致した。「ＮＦ」として示される混合物は、不燃性であると決定された。
【０１４７】
【表２】
2021518878.tif 000003
【０１４８】
実施例３．金属洗浄分析
ペルフルオロヘプテン（ＰＦＨ）は、金属製造プロセスにおいて使用される様々な機械油を除去するのに有効であることが示された。ＰＦＨに浸漬した油性／油脂性金属（炭素鋼）クーポンの超音波洗浄の例を、以下の表３に示す。
【０１４９】
【表３】
2021518878.tif 000004
【０１５０】
実施例４．キャリア流体分析
ペルフルオロヘプテン（perfluoroheptene、ＰＦＨ）は、表４に示すように、ヘキサメチルジシロキサンの優れたキャリア流体であると決定された。ＰＦＨとヘキサメチルジシロキサンとのブレンドは、例えば、外科用縫合針及び管、人工皮膚及び補綴材、並びにコンタクトレンズが挙げられるが、これらに限定されない医療用デバイス上でのケイ素の堆積／除去のために使用されるであろう。ＰＦＨとヘキサメチルジシロキサンとのブレンドはまた、シリコーン接着剤、シーラント、及びコーティングを配合するためのキャリア流体として有用であることが示された。ＰＦＨはまた、改善された感触効果のために、皮膚及び毛髪上にシリコーンを堆積させるための化粧品キャリア流体として有用であり得る。以下の表４に示されるように、ＰＦＨは、Ｋｒｙｔｏｘ潤滑剤のための不燃性キャリア流体として示されており、耐信頼性を改善するために、軸受、弁、及びシールに高い性能の潤滑コーティング及び耐腐食コーティングを送達するために使用することができる。ＰＦＨはまた、耐水コーティング、撥油性表面、及び汚染防止コーティングにおいて使用される、Ｚｏｎｙｌフルオロ添加剤に対する良好な溶解性も示した。ＰＦＨはまた、光学及び医療用デバイスなどの反射面及び屈折面の水置換乾燥に使用される、フルオロ界面活性剤のためのキャリア流体として有用であり得る。
【０１５１】
【表４】
2021518878.tif 000005
【０１５２】
実施例５．ペルフルオロヘプテン／ｎ−ヘプタンブレンドの洗浄効果係数（ＣＥＦ）分析
標題ブレンド（９０重量％のペルフルオロヘプテン及び１０重量％のｎ−ヘプタン）を調製し、凝縮コイルを備えた１０００ｍＬのビーカーにデカントし、ホットプレートを使用して沸点（６５℃）まで加熱した。３つの予め洗浄された３０４ステンレス鋼クーポンを分析天秤（初期重量）で秤量した。Ｓｔａｒｒｅｔｔ  Ｍ１汎用潤滑剤の小さい薄膜を各クーポンの１つの表面に塗布し、超過量をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、式１によって決定された。
【０１５３】
式１．
ＣＥＦ＝（汚染重量−洗浄後重量）／（汚染重量−初期重量）
【０１５４】
【表５】
2021518878.tif 000006
【０１５５】
実施例６．ペルフルオロヘプテン／アセトンブレンドの洗浄効果係数（cleaning effectiveness factor、ＣＥＦ）分析
標題ブレンド（２０重量％のペルフルオロヘプテン及び８０重量％のアセトン）を調製し、凝縮コイルを備えた１０００ｍＬのビーカーにデカントし、ホットプレートを使用して沸点（４７．１℃）まで加熱した。３つの予め洗浄された３０４ステンレス鋼クーポンを分析天秤（初期重量）で秤量した。Ｋｒｙｌｏｎ  Ｉｎｄｕｓｔｒｉａｌのアクリルラッカー塗料の小さい薄膜を各クーポン上に噴霧し、一晩放置して硬化させた。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載されるように式１によって決定された。
【０１５６】
【表６】
2021518878.tif 000007
【０１５７】
実施例７．ペルフルオロヘプテン／酢酸メチルブレンドの洗浄効果係数（ＣＥＦ）分析
標題ブレンド（３０重量％のペルフルオロヘプテン及び７０重量％の酢酸メチル）を調製し、凝縮コイルを備えた１０００ｍＬのビーカーにデカントし、ホットプレートを使用して沸点（４５．４℃）まで加熱した。３つの予め洗浄された３０４ステンレス鋼クーポンを分析天秤（初期重量）で秤量した。Ｅｍｋａｒａｔｅ  ＲＬ  ３２−３ＭＡＦ  ＰＯＥ潤滑剤の小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載されるように式１を使用して決定された。
【０１５８】
【表７】
2021518878.tif 000008
【０１５９】
実施例８．ペルフルオロヘプテン／イソプロピルアセテートブレンドの洗浄効果係数（ＣＥＦ）分析
標題ブレンド（８５重量％のペルフルオロヘプテン及び１５重量％の酢酸イソプロピル）を調製し、凝縮コイルを備えた１０００ｍＬのビーカーにデカントし、ホットプレートを使用して沸点（６３．２℃）まで加熱した。３つの予め洗浄された３０４ステンレス鋼クーポンを分析天秤（初期重量）で秤量した。Ｃｏｐｅｌａｎｄ  Ｕｌｔｒａ  ２２  ＰＯＥ潤滑剤の小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載される式１を使用して決定された。
【０１６０】
【表８】
2021518878.tif 000009
【０１６１】
実施例９．ペルフルオロヘプテン／シクロペンタンブレンドの洗浄効果係数（ＣＥＦ）分析
標題ブレンド（６２重量％のペルフルオロヘプテン及び３８重量％のシクロペンタン）を調製し、凝縮コイルを備えた１０００ｍＬのビーカーにデカントし、ホットプレートを使用して沸点（４１℃）まで加熱した。３つの予め洗浄された３０４ステンレス鋼クーポンを分析天秤（初期重量）で秤量した。Ｓｔａｒｒｅｔｔツール及び計器用油（カタログ番号１６２０）の小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載される式１を使用して決定された。
【０１６２】
【表９】
2021518878.tif 000010
【０１６３】
実施例１０．ペルフルオロヘプテン／ヘキサンブレンドの洗浄効果係数（ＣＥＦ）分析
標題ブレンド（７５重量％のペルフルオロヘプテン及び２５重量％のヘキサン）を調製し、凝縮コイルを備えた１０００ｍＬのビーカーにデカントし、ホットプレートを使用して沸点（５４．７℃）まで加熱した。３つの予め洗浄された３０４ステンレス鋼クーポンを分析天秤（初期重量）で秤量した。ＲｏｙＣｏ  ７８２  Ｈｙｄｒａｕｌｉｃ  Ｆｌｕｉｄの小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載されるように式１を使用して決定された。
【０１６４】
【表１０】
2021518878.tif 000011
【０１６５】
実施例１１．ペルフルオロヘプテン／イソ−オクタンブレンドの洗浄効果係数（ＣＥＦ）分析
標題ブレンド（９１重量％のペルフルオロヘプテン及び９重量％のイソ−オクタン）を調製し、凝縮コイルを備えた１０００ｍＬのビーカーにデカントし、ホットプレートを使用して沸点（６６℃）まで加熱した。３つの予め洗浄された３０４ステンレス鋼クーポンを分析天秤（初期重量）で秤量した。ＷＤ−４０油の小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載されるように式１を使用して決定された。
【０１６６】
【表１１】
2021518878.tif 000012
【０１６７】
実施例１２．ペルフルオロヘプテン／酢酸ｔｅｒｔ−ブチルブレンドの洗浄効果係数（ＣＥＦ）分析
標題ブレンド（９０重量％のペルフルオロヘプテン及び１０重量％の酢酸ｔｅｒｔ−ブチル）を調製し、凝縮コイルを備えた１０００ｍＬのビーカーにデカントし、ホットプレートを使用して沸点（６６．６℃）まで加熱した。３つの予め洗浄された３０４ステンレス鋼クーポンを分析天秤（初期重量）で秤量した。Ｅｍｋａｒａｔｅ  ＲＬ１７０Ｈ  ＰＯＥ潤滑剤の小さい薄膜を各クーポンの表面上に塗布した。次いで、超過量の油をきれいな拭き取り布で拭き取った。次いで、各クーポンを再秤量して、汚染重量を決定し、次いで、沸騰溶媒ブレンドの気相中に１０分間配置した。次いで、クーポンを除去し、再秤量（洗浄後重量）の前に１０分間乾燥し、かつオフガスを発生することを可能にして、溶媒ブレンドの洗浄効果係数を決定した。洗浄効果係数（ＣＥＦ）は、実施例５に記載されるように式１を使用して決定された。
【０１６８】
【表１２】
2021518878.tif 000013
【０１６９】
他の実施形態
１．いくつかの実施形態では、本出願は、組成物であって、
ｉ）ペルフルオロヘプテンと、
ｉｉ）酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、
酢酸メチル、アセトン、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、ペルフルオロヘプテンと共沸混合物組成物又は共沸混合物様組成物を形成するのに有効な量で、組成物中に存在する、組成物を提供する。
２．ペルフルオロヘプテンが、約９０重量％のペルフルオロヘプタ−３−エン及び約１０重量％のペルフルオロヘプタ−２−エンを含む、実施形態１に記載の組成物。
３．組成物が、ペルフルオロヘプテン及び酢酸メチルを含み、酢酸メチルが、ペルフルオロヘプテンと共沸混合物組成物又は共沸混合物様組成物を形成するのに有効な量で、組成物中に存在する、実施形態１又は２に記載の組成物。
４．組成物が、約０．１〜６０重量％のペルフルオロヘプテンを含む、実施形態１〜３のいずれか１つに記載の組成物。
５．組成物が、約９９．９〜４０重量％の酢酸メチルを含む、実施形態１〜４のいずれか１つに記載の組成物。
６．組成物が、ペルフルオロヘプテン及び酢酸メチルから本質的になる、実施形態１〜５のいずれか１つに記載の組成物。
７．組成物が、約０．１〜約６０重量％のペルフルオロヘプテン及び約９９．９〜約４０重量％の酢酸メチルから本質的になる、実施形態１〜３及び５のいずれか１つに記載の組成物。
８．組成物が、約３０重量％のペルフルオロヘプテン及び約７０重量％の酢酸メチルから本質的になる、実施形態１〜３及び５のいずれか１つに記載の組成物。
９．組成物が共沸混合物組成物である、実施形態１〜８のいずれか１つに記載の組成物。
１０．組成物が、約１０１ｋＰａの圧力で約４７℃〜約４８℃の沸点を有する、実施形態１〜９のいずれか１つに記載の組成物。
１１．組成物が、ペルフルオロヘプテン及びアセトンを含み、アセトンが、ペルフルオロヘプテンと共沸混合物組成物又は共沸混合物様組成物を形成するのに有効な量で、組成物中に存在する、実施形態１又は２に記載の組成物。
１２．組成物が、約０．１〜３０重量％のペルフルオロヘプテンを含む、実施形態１、２、及び１１のいずれか１つに記載の組成物。
１３．組成物が、約９９．９〜７０重量％のアセトンを含む、実施形態１、２、１１、及び１２のいずれか１つに記載の組成物。
１４．組成物が、ペルフルオロヘプテン及びアセトンから本質的になる、実施形態１、２、及び１１のいずれか１つに記載の組成物。
１５．組成物が、約０．１〜約３０重量％のペルフルオロヘプテン及び約９９．９〜約６０重量％のアセトンから本質的になる、実施形態１、２、１１、及び１４のいずれか１つに記載の組成物。
１６．組成物が、約３０重量％のペルフルオロヘプテン及び約７０重量％の酢酸メチルから本質的になる、実施形態１、２、１１、及び１４のいずれか１つに記載の組成物。
１７．組成物が共沸混合物組成物である、実施形態１、２、及び１１〜１６のいずれか１つに記載の組成物。
１８．組成物が、約１０１ｋＰａの圧力で約４４℃〜約４５℃の沸点を有する、実施形態１、２、及び１１〜１７のいずれか１つに記載の組成物。
１９．組成物が、ペルフルオロヘプテン及び酢酸ｔｅｒｔ−ブチルを含み、酢酸ｔｅｒｔ−ブチルが、ペルフルオロヘプテンと共沸混合物組成物又は共沸混合物様組成物を形成するのに有効な量で、組成物中に存在する、実施形態１又は２に記載の組成物。
２０．組成物が、約８７〜９４重量％のペルフルオロヘプテンを含む、実施形態１、２、及び１９のいずれか１つに記載の組成物。
２１．組成物が、約６〜約１３重量％の酢酸ｔｅｒｔ−ブチルを含む、実施形態１、２、１９、及び２０のいずれか１つに記載の組成物。
２２．  組成物が、ペルフルオロヘプテン及び酢酸ｔｅｒｔ−ブチルから本質的になる、実施形態１、２、及び１９のいずれか１つに記載の組成物。
２３．組成物が、約８７〜約９４重量％のペルフルオロヘプテン及び約６〜約１３重量％の酢酸ｔｅｒｔ−ブチルから本質的になる、実施形態１、２、１９、及び２２のいずれか１つに記載の組成物。
２４．組成物が、約９０重量％のペルフルオロヘプテン及び約１０重量％の酢酸ｔｅｒｔ−ブチルから本質的になる、実施形態１、２、１９、及び２２のいずれか１つに記載の組成物。
２５．組成物が共沸混合物組成物である、実施形態１、２、及び１９〜２４のいずれか１つに記載の組成物。
２６．組成物が、約１０１ｋＰａの圧力で約６９℃の沸点を有する、実施形態１、２、及び１９〜２５のいずれか１つに記載の組成物。
２７．組成物が、ペルフルオロヘプテン及び酢酸イソプロピルを含み、酢酸イソプロピルが、ペルフルオロヘプテンと共沸混合物組成物又は共沸混合物様組成物を形成するのに有効な量で、組成物中に存在する、実施形態１又は２に記載の組成物。
２８．組成物が、約７０〜９０重量％のペルフルオロヘプテンを含む、実施形態１、２、及び２７のいずれか１つに記載の組成物。
２９．組成物が、約１０〜約３０重量％の酢酸イソプロピルを含む、実施形態１、２、２７、及び２８のいずれか１つに記載の組成物。
３０．組成物が、ペルフルオロヘプテン及び酢酸イソプロピルから本質的になる、実施形態１、２、及び２７のいずれか１つに記載の組成物。
３１．組成物が、約７０〜約９０重量％のペルフルオロヘプテン及び約１０〜約３０重量％の酢酸イソプロピルから本質的になる、実施形態１、２、２７、及び３０のいずれか１つに記載の組成物。
３２．組成物が、約８５重量％のペルフルオロヘプテン及び約１５重量％の酢酸イソプロピルから本質的になる、実施形態１、２、２７、及び３０のいずれか１つに記載の組成物。
３３．組成物が共沸混合物組成物である、実施形態１、２、及び２７〜３２のいずれか１つに記載の組成物。
３４．組成物が、約１０１ｋＰａの圧力で約６５℃の沸点を有する、実施形態１、２、及び２７〜３３のいずれか１つに記載の組成物。
３５．組成物が、ペルフルオロヘプテン及びｎ−ヘプタンを含み、ｎ−ヘプタンが、ペルフルオロヘプテンと共沸混合物組成物又は共沸混合物様組成物を形成するのに有効な量で、組成物中に存在する、実施形態１又は２に記載の組成物。
３６．組成物が、約８５〜９５重量％のペルフルオロヘプテンを含む、実施形態１、２、及び３５のいずれか１つに記載の組成物。
３７．組成物が、約５〜約１５重量％のｎ−ヘプタンを含む、実施形態１、２、３５、及び３６のいずれか１つに記載の組成物。
３８．組成物が、ペルフルオロヘプテン及びｎ−ヘプタンから本質的になる、実施形態１、２、及び３５のいずれか１つに記載の組成物。
３９．組成物が、約８５〜約９５重量％のペルフルオロヘプテン及び約５〜約１５重量％のｎ−ヘプタンから本質的になる、実施形態１、２、３５、及び３８のいずれか１つに記載の組成物。
４０．組成物が、約９０重量％のペルフルオロヘプテン及び約１０重量％のｎ−ヘプタンから本質的になる、実施形態１、２、３５、及び３８のいずれか１つに記載の組成物。
４１．組成物が共沸混合物組成物である、実施形態１、２、及び３５〜４０のいずれか１つに記載の組成物。
４２．組成物が、約１０１ｋＰａの圧力で約６６℃〜約６７℃の沸点を有する、実施形態１、２、及び３５〜４１のいずれか１つに記載の組成物。
４３．組成物が、ペルフルオロヘプテン及びイソ−オクタンを含み、イソ−オクタンが、ペルフルオロヘプテンと共沸混合物組成物又は共沸混合物様組成物を形成するのに有効な量で、組成物中に存在する、実施形態１又は２に記載の組成物。
４４．組成物が、約８５〜約９９．９重量％のペルフルオロヘプテンを含む、実施形態１、２、及び４３のいずれか１つに記載の組成物。
４５．組成物が、約０．１〜約１５重量％のイソ−オクタンを含む、実施形態１、２、４３、及び４４のいずれか１つに記載の組成物。
４６．組成物が、ペルフルオロヘプテン及びイソ−オクタンから本質的になる、実施形態１、２、及び４３のいずれか１つに記載の組成物。
４７．組成物が、約８５〜約９９．９重量％のペルフルオロヘプテン及び約０．１〜約１５重量％のイソ−オクタンから本質的になる、実施形態１、２、４３、及び４６のいずれか１つに記載の組成物。
４８．組成物が、約９１重量％のペルフルオロヘプテン及び約９重量％のイソ−オクタンから本質的になる、実施形態１、２、４３、及び４６のいずれか１つに記載の組成物。
４９．組成物が共沸混合物組成物である、実施形態１、２、及び４３〜４８のいずれか１つに記載の組成物。
５０．組成物が、約１０１ｋＰａの圧力で約６７℃〜約６８℃の沸点を有する、実施形態１、２、及び４３〜４９のいずれか１つに記載の組成物。
５１．組成物が、ペルフルオロヘプテン及びｎ−ヘキサンを含み、ｎ−ヘキサンが、ペルフルオロヘプテンと共沸混合物組成物又は共沸混合物様組成物を形成するのに有効な量で、組成物中に存在する、実施形態１又は２に記載の組成物。
５２．組成物が、約６０〜約８０重量％のペルフルオロヘプテンを含む、実施形態１、２、及び５１のいずれか１つに記載の組成物。
５３．組成物が、約２０〜約４０重量％のｎ−ヘキサンを含む、実施形態１、２、５１、及び５２のいずれか１つに記載の組成物。
５４．組成物が、ペルフルオロヘプテン及びｎ−ヘキサンから本質的になる、実施形態１、２、及び５１のいずれか１つに記載の組成物。
５５．組成物が、約６０〜約８０重量％のペルフルオロヘプテン及び約２０〜約４０重量％のｎ−ヘキサンから本質的になる、実施形態１、２、５１、及び５４のいずれか１つに記載の組成物。
５６．組成物が、約９１重量％のペルフルオロヘプテン及び約９重量％のｎ−ヘキサンから本質的になる、実施形態１、２、５１、及び５４のいずれか１つに記載の組成物。
５７．組成物が共沸混合物組成物である、実施形態１、２、及び５１〜５６のいずれか１つに記載の組成物。
５８．組成物が、約１０１ｋＰａの圧力で約５５℃〜約５６℃の沸点を有する、実施形態１、２、５１〜５７のいずれか１つに記載の組成物。
５９．組成物が、ペルフルオロヘプテン及びヘキサメチルジシロキサンを含み、ヘキサメチルジシロキサンが、ペルフルオロヘプテンと共沸混合物組成物又は共沸混合物様組成物を形成するのに有効な量で、組成物中に存在する、実施形態１又は２に記載の組成物。
６０．組成物が、約９９．９〜約９０重量％のペルフルオロヘプテンを含む、実施形態１、２、及び５９のいずれか１つに記載の組成物。
６１．組成物が、約０．１〜約１０重量％のヘキサメチルジシロキサンを含む、実施形態１、２、５９、及び６０のいずれか１つに記載の組成物。
６２．組成物が、ペルフルオロヘプテン及びヘキサメチルジシロキサンから本質的になる、実施形態１、２、及び５９のいずれか１つに記載の組成物。
６３．組成物が、約９９．９〜約９０重量％のペルフルオロヘプテン及び約０．１〜約１０重量％のヘキサメチルジシロキサンから本質的になる、実施形態１、２、５９、及び６２のいずれか１つに記載の組成物。
６４．組成物が、約９１重量％のペルフルオロヘプテン及び約９重量％のヘキサメチルジシロキサンから本質的になる、実施形態１、２、５９及び６２のいずれか１つに記載の組成物。
６５．組成物が共沸混合物組成物である、実施形態１、２、及び５９〜６４のいずれか１つに記載の組成物。
６６．組成物が、約１０１ｋＰａの圧力で約６６℃〜約６７℃の沸点を有する、実施形態１、２、及び５９〜６５のいずれか１つに記載の組成物。
６７．組成物が、ペルフルオロヘプテン及びシクロペンタンを含み、シクロペンタンが、ペルフルオロヘプテンと共沸混合物組成物又は共沸混合物様組成物を形成するのに有効な量で、組成物中に存在する、実施形態１又は２に記載の組成物。
６８．組成物が、約９９．９〜約５０重量％のペルフルオロヘプテンを含む、実施形態１、２、及び６７のいずれか１つに記載の組成物。
６９．組成物が、約０．１〜約５０重量％のシクロペンタンを含む、実施形態１、２、６７、及び６８のいずれか１つに記載の組成物。
７０．組成物が、ペルフルオロヘプテン及びシクロペンタンから本質的になる、実施形態１、２、及び６７のいずれか１つに記載の組成物。
７１．組成物が、約９９．９〜約５０重量％のペルフルオロヘプテン及び約０．１〜約５０重量％のシクロペンタンから本質的になる、実施形態１、２、６７、及び７０のいずれか１つに記載の組成物。
７２．組成物が、約６０〜約６３重量％のペルフルオロヘプテン及び約３７〜約４０重量％のシクロペンタンから本質的になる、実施形態１、２、６７、及び７０のいずれか１つに記載の組成物。
７３．組成物が共沸混合物組成物である、実施形態１、２、及び６７〜７２のいずれか１つに記載の組成物。
７４．組成物が、約１０１ｋＰａの圧力で約４１℃〜約４２℃の沸点を有する、実施形態１、２、及び６７〜７３のいずれか１つに記載の組成物。
７５．溶質を溶解するためのプロセスであって、溶質を、十分な量の実施形態１〜７５のいずれか１つに記載の組成物と接触させ混合するステップを含む、プロセス。
７６．表面を洗浄するプロセスであって、実施形態１〜７５のいずれか１つに記載の組成物を接触させるステップを含む、プロセス。
７７．濡れている基材の表面から水の少なくとも一部分を除去するためのプロセスであって、基材を実施形態１〜７５のいずれか１つに記載の組成物と接触させるステップと、次いで、基材を組成物との接触から除去するステップと、を含む、プロセス。
７８．組成物が、基材を脱水又は乾燥するのに好適な少なくとも１つの界面活性剤を更に含む、実施形態７７に記載のプロセス。
７９．表面上にフッ素系潤滑剤を堆積させるプロセスであって、
ａ）フッ素系潤滑剤と、実施形態１〜７５のいずれか１つに記載の組成物を含む溶媒とを合わせて、潤滑剤／溶媒の組み合わせを形成するステップと、
ｂ）潤滑剤／溶媒の組み合わせを表面と接触させるステップと、
ｃ）表面から溶媒を蒸発させて、表面上にフッ素系潤滑剤コーティングを形成するステップと、を含む、プロセス。
８０．表面が、半導体材料、金属、金属酸化物、蒸着炭素、及びガラスから選択される、実施形態７９に記載のプロセス。
８１．表面が磁気媒体である、実施形態７９又は８０に記載のプロセス。
８２．磁気媒体がコンピュータディスクである、実施形態８１に記載のプロセス。
８３．接触させるステップが、フッ素系潤滑剤を含む浴中に表面を浸す又は浸漬するステップを含む、実施形態７９〜８２のいずれか１つに記載のプロセス。
８４．接触させるステップが、表面をフッ素系潤滑剤で噴霧又はスピンコーティングするステップを含む、実施形態７９〜８３のいずれか１つに記載のプロセス。
８５．潤滑剤／溶媒の組み合わせにおけるフッ素系潤滑剤濃度が、約０．０２重量％〜約０．５重量％である、実施形態７９〜８４のいずれか１つに記載のプロセス。
８６．蒸発が、溶媒の沸点温度以上、かつ潤滑剤／溶媒の組み合わせの沸点温度未満の温度で実施される、実施形態７９〜８５のいずれか１つに記載のプロセス。
８７．蒸発が、請求項１〜７５のいずれか一項に記載の組成物の沸点温度以上の温度で実施される、実施形態７９〜８６のいずれか１つに記載のプロセス。
８８．蒸発が、約４０℃〜約７０℃の温度で実施される、実施形態７９〜８７のいずれか１つに記載のプロセス。
８９．フッ素系潤滑剤が、ペルフルオロポリエーテルを含む、実施形態７９〜８８のいずれか１つに記載のプロセス。
９０．フッ素系潤滑剤が、ペルフルオロポリエーテル又はペルフルオロポリエーテルの混合物である、実施形態７９〜８９のいずれか１つに記載の組成物。
【０１７０】
本発明をその詳細な説明と併せて説明してきたが、前述の説明は、添付の特許請求の範囲により規定される本発明の範囲を例示することを意図し、かつ限定するものではないことを理解すべきである。その他の態様、利点、及び変更は、以下の特許請求の範囲内である。本発明が、本発明の任意の特定の態様及び／又は実施形態に関して本明細書に記載される特徴のいずれも、本明細書に記載される任意のその他の態様及び／又は本発明の実施形態のいずれかのその他の特徴のうちの１つ以上と組み合わせることができ、組み合わせの適合性を確実にするために適宜変更することができることが、当業者により理解されるべきである。このような組み合わせは、本開示により企図される本発明の一部であるとみなされる。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
組成物であって、
ｉ）ペルフルオロヘプテンと、
ｉｉ）酢酸メチル、酢酸ｔｅｒｔ−ブチル、酢酸イソプロピル、ｎ−ヘプタン、イソ−オクタン、ｎ−ヘキサン、ヘキサメチルジシロキサン、及びシクロペンタンから選択される化合物と、を含み、
前記酢酸メチル、酢酸ｔｅｒｔ−ブチル、酢酸イソプロピル、ｎ−ヘプタン、イソ−オクタン、ｎ−ヘキサン、ヘキサメチルジシロキサン、又はシクロペンタンが、前記ペルフルオロヘプテンと共沸混合物組成物又は共沸混合物様組成物を形成するのに有効な量で、前記組成物中に存在する、組成物。
【請求項２】
前記ペルフルオロヘプテンが、約９０重量％のペルフルオロヘプタ−３−エン及び約１０重量％のペルフルオロヘプタ−２−エンを含む、請求項１に記載の組成物。
【請求項３】
前記組成物が、ペルフルオロヘプテン及び酢酸メチルを含み、前記組成物が、約０．１〜約６０重量％のペルフルオロヘプテン及び約９９．９〜約４０重量％の酢酸メチルを含む、請求項２に記載の組成物。
【請求項４】
前記組成物が、ペルフルオロヘプテン及び酢酸ｔｅｒｔ−ブチルを含み、前記組成物が、約８７〜約９４重量％のペルフルオロヘプテン及び約６〜約１３重量％の酢酸ｔｅｒｔ−ブチルを含む、請求項２に記載の組成物。
【請求項５】
前記組成物が、ペルフルオロヘプテン及び酢酸イソプロピルを含み、前記組成物が、約７０〜約９０重量％のペルフルオロヘプテン及び約１０〜約３０重量％の酢酸イソプロピルを含む、請求項２に記載の組成物。
【請求項６】
前記組成物が、ペルフルオロヘプテン及びｎ−ヘプタンを含み、前記組成物が、約８５〜約９５重量％のペルフルオロヘプテン及び約５〜約１５重量％のｎ−ヘプタンを含む、請求項２に記載の組成物。
【請求項７】
前記組成物が、ペルフルオロヘプテン及びイソ−オクタンを含み、前記組成物が、約８５〜約９９．９重量％のペルフルオロヘプテン及び約０．１〜約１５重量％のイソ−オクタンを含む、請求項２に記載の組成物。
【請求項８】
前記組成物が、ペルフルオロヘプテン及びｎ−ヘキサンを含み、前記組成物が、約６０〜約８０重量％のペルフルオロヘプテン及び約２０〜約４０重量％のｎ−ヘキサンを含む、前記組成物中に存在する、請求項２に記載の組成物。
【請求項９】
前記組成物が、ペルフルオロヘプテン及びヘキサメチルジシロキサンを含み、前記組成物が、約９９．９〜約９０重量％のペルフルオロヘプテン及び約０．１〜約１０重量％のヘキサメチルジシロキサンを含む、前記組成物中に存在する、請求項２に記載の組成物。
【請求項１０】
前記組成物が、ペルフルオロヘプテン及びシクロペンタンを含み、前記組成物が、約９９．９〜約５０重量％のペルフルオロヘプテン及び約０．１〜約５０重量％のシクロペンタンから本質的になる、請求項２に記載の組成物。
【請求項１１】
濡れている基材の表面から水の少なくとも一部分を除去するためのプロセスであって、前記基材を請求項１に記載の組成物と接触させるステップと、次いで、前記基材を前記組成物との接触から除去するステップと、を含む、プロセス。
【請求項１２】
表面上にフッ素系潤滑剤を堆積させるプロセスであって、
ａ）フッ素系潤滑剤と溶媒とを合わせて、潤滑剤／溶媒の組み合わせを形成するステップであって、前記溶媒が、請求項１に記載の組成物を含む、ステップと、
ｂ）前記潤滑剤／溶媒の組み合わせを前記表面と接触させるステップと、
ｃ）前記表面から前記溶媒を蒸発させて、前記表面上にフッ素系潤滑剤コーティングを形成するステップと、を含む、プロセス。
【国際調査報告】
2021518878.tif 000014
2021518878.tif 000015
2021518878.tif 000016